(57)【要約】【課題】接続構造を小型化する技術を提供する。【解決手段】ソケット端子１は、ピン１１とケーブル１２の導体１３を電気的に接続するためのものである。ソケット端子１は、ピン１１を収容可能なピン収容空間４と、導体１３を収容可能なケーブル収容空間５と、が形成された導電性のソケット２を備える。ピン収容空間４のピン内周面４Cとケーブル収容空間５のケーブル内周面５Bは、互いに導通している。ピン収容空間４の長手方向とケーブル収容空間５の長手方向は実質的に同一である。ピン収容空間４とケーブル収容空間５は、ピン収容空間４の長手方向に対して直交する方向において単一の隔壁８を挟んで隣り合っている。【選択図】図５
2016122561.tif 000002
【特許請求の範囲】
【請求項１】
第１接続対象物と第２接続対象物を電気的に接続するための接続構造であって、
前記第１接続対象物を収容可能な第１収容空間と、前記第２接続対象物を収容可能な第２収容空間と、が形成された導電性の接続構造本体を備え、
前記第１収容空間の内周面と前記第２収容空間の内周面は、互いに導通しており、
前記第１収容空間の長手方向と前記第２収容空間の長手方向は、実質的に同一であり、
前記第１収容空間と前記第２収容空間は、少なくとも一部が、前記第１収容空間の長手方向に対して直交する方向において単一の隔壁を挟んで隣り合っている、
接続構造。
【請求項２】
請求項１に記載の接続構造であって、
前記第２収容空間は、前記第２収容空間の長手方向に対して交差する方向に部分的に開口している、
接続構造。
【請求項３】
請求項１に記載の接続構造であって、
前記第２収容空間は、
環状の内周面によって囲まれると共に一端が閉塞された第１空間と、
前記第２収容空間の長手方向に対して交差する方向に開口している第２空間と、
を有する、
接続構造。
【請求項４】
請求項１〜３の何れかに記載の接続構造であって、
前記第１収容空間の長手方向の寸法は、前記第１収容空間の長手方向における前記接続構造本体の寸法と等しい、
接続構造。
【請求項５】
請求項３に記載の接続構造であって、
前記接続構造本体は、前記第１収容空間の開口が形成された端面と、前記端面から突出する突出部と、を有し、
前記第２空間は、前記突出部に形成されている、
接続構造。
【請求項６】
請求項１〜５の何れかに記載の接続構造であって、
前記第１収容空間の長手方向の寸法は、前記第２収容空間の長手方向の寸法よりも大きい、
接続構造。
【請求項７】
請求項１に記載の接続構造であって、
前記第２収容空間の内周面には、ネジ山が形成されている、
接続構造。
【請求項８】
請求項１〜７の何れかに記載の接続構造であって、
前記第１収容空間は、貫通孔である、
接続構造。
【請求項９】
請求項１〜８の何れかに記載の接続構造であって、
前記第１収容空間の内周面に配置された弾性片を更に備えた、
接続構造。
【請求項１０】
請求項１〜９の何れかに記載の接続構造であって、
前記接続構造本体は、前記第１収容空間の長手方向と同一の方向を含む外面を有する、
接続構造。
【発明の詳細な説明】
【技術分野】
【０００１】
本発明は、接続構造に関する。
【背景技術】
【０００２】
特許文献１は、本願の図１２に示すように、導電性中空柱から一体に形成される雌型端子本体１００と、電気接触弾性部材１０１と、を備えた雌型端子１０２を開示している。雌型端子本体１００の一端には、雄型端子１０３のタブ１０４を嵌挿可能な中空筒状の雌型端子嵌入室１０５が形成されている。雌型端子本体１００の他端には、電線１０６を加締め接続可能な電線接続部１０７が形成されている。電気接触弾性部材１０１は、雌型端子嵌入室１０５内に装着されている。
【先行技術文献】
【特許文献】
【０００３】
【特許文献１】特開平８−７８０８１号公報
【発明の概要】
【発明が解決しようとする課題】
【０００４】
上記特許文献１の雌型端子本体１００には、小型化の面で改善の余地が残されている。
【０００５】
本発明の目的は、接続構造を小型化する技術を提供することにある。
【課題を解決するための手段】
【０００６】
本願発明の観点によれば、第１接続対象物と第２接続対象物を電気的に接続するための接続構造であって、前記第１接続対象物を収容可能な第１収容空間と、前記第２接続対象物を収容可能な第２収容空間と、が形成された導電性の接続構造本体を備え、前記第１収容空間の内周面と前記第２収容空間の内周面は、互いに導通しており、前記第１収容空間の長手方向と前記第２収容空間の長手方向は実質的に同一であり、前記第１収容空間と前記第２収容空間は、少なくとも一部が、前記第１収容空間の長手方向に対して直交する方向において単一の隔壁を挟んで隣り合っている、接続構造が提供される。
前記第２収容空間は、前記第２収容空間の長手方向に対して交差する方向に部分的に開口している。
前記第２収容空間は、環状の内周面によって囲まれると共に一端が閉塞された第１空間と、前記第２収容空間の長手方向に対して交差する方向に開口している第２空間と、を有する。
前記第１収容空間の長手方向の寸法は、前記第１収容空間の長手方向における前記接続構造本体の寸法と等しい。
前記接続構造本体は、前記第１収容空間の開口が形成された端面と、前記端面から突出する突出部と、を有する。前記第２空間は、前記突出部に形成されている。
前記第１収容空間の長手方向の寸法は、前記第２収容空間の長手方向の寸法よりも大きい。
前記第２収容空間の内周面には、ネジ山が形成されている。
前記第１収容空間は、貫通孔である。
前記接続構造は、前記第１収容空間の内周面に配置された弾性片を更に備える。
前記接続構造本体は、前記第１収容空間の長手方向と同一の方向を含む外面を有する。
【発明の効果】
【０００７】
本発明によれば、前記第１収容空間の長手方向でコンパクトな接続構造が実現される。
【図面の簡単な説明】
【０００８】
【図１】ソケット端子の斜視図である。（第１実施形態）
【図２】ソケット端子の別の角度から見た斜視図である。（第１実施形態）
【図３】ソケットの断面図である。（第１実施形態）
【図４】ソケット端子の断面図である。（第１実施形態）
【図５】ソケット端子の使用例を示す図である。（第１実施形態）
【図６】ソケット端子の斜視図である。（第２実施形態）
【図７】ソケット端子の別の角度から見た斜視図である。（第２実施形態）
【図８】ソケットの断面図である。（第２実施形態）
【図９】丸型圧着端子がネジ止めされたソケット端子の斜視図である。（第３実施形態）
【図１０】丸型圧着端子がネジ止めされたソケット端子の別の角度から見た斜視図である。（第３実施形態）
【図１１】丸型圧着端子がネジ止めされたソケット端子の断面図である。（第３実施形態）
【図１２】特許文献１の図５に相当する図である。
【発明を実施するための形態】
【０００９】
（第１実施形態）
以下、図１〜図５を参照して、第１実施形態を説明する。
【００１０】
図１及び図２には、ソケット端子１（接続構造）の斜視図を示している。ソケット端子１は、ソケット２（接続構造本体）と、バンドコンタクト３（弾性片）と、を備える。
【００１１】
ソケット２は、例えば銅や銅合金などの導電性材料を切削加工することで形成された略直方体状の金属部品である。ソケット２は、上面２A、下面２B、２つの平坦な大側面２C（第１の側面）、２つの小側面２D(第２の側面)を有する。上面２A及び下面２Bは、互いに反対側の面である。２つの大側面２Cは、互いに反対側の面であって、上面２Aに対して直交している。２つの小側面２Dは、若干湾曲している。２つの小側面２Dは、互いに反対側の面であって、上面２A及び大側面２Cに対して実質的に直交している。
【００１２】
以下、上面２Aに対して直交する方向を上下方向と定義し、上下方向に対して直交する方向を横方向と定義する。
【００１３】
ソケット２には、ピン収容空間４（第１収容空間）と、ケーブル収容空間５（第２収容空間）が形成されている。図３に示すように、ピン収容空間４及びケーブル収容空間５は、何れも、上下方向に延びて形成されている。ピン収容空間４の長手方向とケーブル収容空間５の長手方向は実質的に平行である。ピン収容空間４の長手方向とケーブル収容空間５の長手方向は実質的に同一である。ピン収容空間４は、２つの小側面２Dのうち一方の小側面２Dの近くに形成されており、ケーブル収容空間５は、他方の小側面２Dの近くに形成されている。
【００１４】
ピン収容空間４は、ソケット２を上下方向に貫通する貫通孔である。ソケット２は、上面２Aにおけるピン収容空間４の開口であるピン上開口４Aと、下面２Bにおけるピン収容空間４の開口であるピン下開口４Bと、ピン収容空間４のピン内周面４Cと、を有する。
【００１５】
ケーブル収容空間５は、下面２Bに開口する非貫通孔である。ソケット２は、下面２Bにおけるケーブル収容空間５の開口であるケーブル開口５Aと、ケーブル収容空間５のケーブル内周面５Bと、を有する。
【００１６】
ケーブル収容空間５は、横方向に部分的に開口している。詳しくは、ケーブル収容空間５は、位置決め孔６（第１空間）とハンダ窪み７（第２空間）を有する。位置決め孔６とハンダ窪み７は上下方向に連なって形成されている。位置決め孔６とハンダ窪み７は、ソルダーカップを構成している。ソケット２は、位置決め孔６の上面２A側の一端を塞ぐ位置決め閉塞面６Aと、位置決め孔６の位置決め内周面６Bを有する。ソケット２は、ハンダ窪み７の湾曲したハンダ内面７Aと、下面２Bにおけるハンダ窪み７の開口であるハンダ下開口７Bと、ハンダ横開口７Cを有する。ハンダ横開口７Cは、ハンダ窪み７が横方向に開口するための開口である。
【００１７】
ケーブル内周面５Bは、位置決め内周面６Bとハンダ内面７Aを有する。ケーブル開口５Aとハンダ下開口７Bは、同じ開口を意味する。
【００１８】
そして、ピン収容空間４とケーブル収容空間５は、横方向において単一の隔壁８を挟んで隣り合っている。ピン収容空間４とケーブル収容空間５は、単一の隔壁８によって仕切られている。単一の隔壁８は、ピン内周面４Cの一部と、ケーブル内周面５Bの一部を有する。ピン内周面４Cとケーブル内周面５Bは、互いに導通している。
【００１９】
ソケット２の上下方向の寸法２Hと、ピン収容空間４の上下方向の寸法４H、ケーブル収容空間５の上下方向の寸法５Hの間には、２H＝４H＞５Hの関係が成立している。
【００２０】
ピン収容空間４のピン内周面４Cには、バンドコンタクト３を装着するためのコンタクト装着凹部９が形成されている。図４に示すように、本実施形態においてバンドコンタクト３は、複数のルーバー１０（弾性接続子）を備える。図４には、コンタクト装着凹部９にバンドコンタクト３を装着した様子を示している。
【００２１】
図５には、ソケット端子１の使用例を示している。図５に示すように、ケーブル収容空間５には、ケーブル１２の導体１３が収容される。そして、ケーブル１２の導体１３は、ケーブル収容空間５に収容された状態でソケット２に対してハンダGによりハンダ付けされる。詳しくは、ケーブル１２の導体１３は、ケーブル収容空間５のケーブル内周面５Bに対してハンダ付けされる。
【００２２】
また、ピン収容空間４には、ピン１１が挿入される。ピン１１は、ピン収容空間４のピン上開口４Aを通ってピン内周面４C内に挿入されると、バンドコンタクト３の複数のルーバー１０をピン内周面４Cに向かって弾性変形させる。この結果、ピン１１はソケット２によって保持されると共に、ソケット２に対して複数のルーバー１０を介して電気的に接続される。
【００２３】
本実施形態では、ピン収容空間４とケーブル収容空間５が横方向で隣り合っているので、ソケット２の上下方向の寸法２Hが抑えられ、もって、上下方向にコンパクトなソケット端子１が実現されている。
【００２４】
以上に、第１実施形態を説明したが、上記第１実施形態は以下の特長を有する。
【００２５】
（１）ソケット端子１（接続構造）は、ピン１１（第１接続対象物）とケーブル１２の導体１３（第２接続対象物）を電気的に接続するためのものである。ソケット端子１は、ピン１１を収容可能なピン収容空間４（第１収容空間）と、導体１３を収容可能なケーブル収容空間５（第２収容空間）と、が形成された導電性のソケット２（接続構造本体）を備える。ピン収容空間４のピン内周面４C（内周面）とケーブル収容空間５のケーブル内周面５B（内周面）は、互いに導通している。ピン収容空間４の長手方向とケーブル収容空間５の長手方向は実質的に同一である。換言すれば、ピン収容空間４とケーブル収容空間５は、実質的に平行となるように延びて形成されている。ピン収容空間４とケーブル収容空間５は、ピン収容空間４の長手方向に対して直交する方向において単一の隔壁８を挟んで隣り合っている。以上の構成によれば、ピン収容空間４の長手方向でコンパクトなソケット端子１が実現される。
【００２６】
なお、上記第１実施形態では、ケーブル収容空間５は、全長にわたって、ピン収容空間４と隣り合っている。しかし、これに代えて、ケーブル収容空間５の少なくとも一部のみがピン収容空間４と隣り合っていてもよし、ピン収容空間４の少なくとも一部のみがケーブル収容空間５と隣り合っていてもよい。
【００２７】
また、ピン収容空間４の長手方向とケーブル収容空間５の長手方向が同一であるので、ピン収容空間４及びケーブル収容空間５を切削により形成する場合、ソケット２をチャックし直すことなく一度のチャックで形成することができる。
【００２８】
（２）ケーブル収容空間５は、ケーブル収容空間５の長手方向に対して交差する方向に部分的に開口している。以上の構成によれば、導体１３をソケット２に対してハンダ付けし易い。
【００２９】
（３）ケーブル収容空間５は、環状の位置決め内周面６B（内周面）によって囲まれると共に一端が閉塞された位置決め孔６（第１空間）と、ケーブル収容空間５の長手方向に対して交差する方向に開口しているハンダ窪み７（第２空間）と、を有する。以上の構成によれば、導体１３を位置決め孔６に挿入することで導体１３がソケット２に対して位置決めされるので、導体１３をソケット２に対してハンダ付けし易い。
【００３０】
なお、図５に示す使用例では、導体１３がケーブル収容空間５の位置決め孔６に挿入されるものの、導体１３が位置決め閉塞面６Aに接触していない。この場合でも、位置決め孔６の位置決め内周面６Bによって導体１３の横方向における位置決めが達成される。これに対し、導体１３が位置決め閉塞面６Aに接触していれば、位置決め孔６の位置決め閉塞面６Aによって導体１３の上下方向における位置決めも達成されることになる。
【００３１】
（４）図３に示すように、ピン収容空間４の長手方向の寸法４Hは、ピン収容空間４の長手方向におけるソケット２の寸法２Hと等しい。
【００３２】
（６）ピン収容空間４の長手方向の寸法４Hは、ケーブル収容空間５の長手方向の寸法５Hよりも大きい。
【００３３】
（８）ピン収容空間４は、貫通孔である。しかし、これに代えて、ピン収容空間４のピン上開口４Aとピン下開口４Bのうち何れか一方が狭められ、又は、閉塞されていてもよい。
【００３４】
（９）図５に示すように、ソケット端子１は、ピン収容空間４のピン内周面４Cに配置されたバンドコンタクト３（弾性片）を更に備えた。以上の構成によれば、ピン１１をピン収容空間４に収容するだけで、ピン１１がソケット２によって保持されるようになる。
【００３５】
（１０）図１に示すように、ソケット２は、ピン収容空間４の長手方向と同一の方向を含む大側面２C（外面）を有する。以上の構成によれば、ソケット端子１を配置する外部環境に対するソケット２の位置決めを容易に行うことができる。
【００３６】
（第２実施形態）
次に、図６〜図８を参照して、第２実施形態を説明する。以下、本実施形態が上記第１実施形態と相違する点を中心に説明し、重複する説明は省略する。
【００３７】
図６〜図８に示すように、ソケット２は、ピン収容空間４のピン下開口４Bが形成された下面２B（端面）と、下面２Bから突出する突出部１４を有する。突出部１４は、上面２Aから離れる方向に突出している。そして、ハンダ窪み７は突出部１４に形成されている。以上の構成によれば、導体１３をソケット２に対して一層ハンダ付けし易く、また、突出部１４を導体１３に圧着することで導体１３をソケット２に接続することもできるようになる。
【００３８】
（第３実施形態）
次に、図９〜図１１を参照して、第３実施形態を説明する。以下、本実施形態が上記第１実施形態と相違する点を中心に説明し、重複する説明は省略する。
【００３９】
本実施形態では、図１１に示すように、ソケット２には、上記第１実施形態のケーブル収容空間５に代えて、ネジ孔２０（第２収容空間）が形成されている。ネジ孔２０は、上下方向に延びて形成されている。ピン収容空間４の長手方向とネジ孔２０の長手方向は実質的に平行である。ピン収容空間４は、２つの小側面２Dのうち一方の小側面２Dの近くに形成されており、ネジ孔２０は、他方の小側面２Dの近くに形成されている。
【００４０】
ネジ孔２０は、ソケット２を上下方向に貫通する貫通孔である。ソケット２は、上面２Aにおけるネジ孔２０の開口であるネジ上開口２０Aと、下面２Bにおけるネジ孔２０の開口であるネジ下開口２０Bと、ネジ孔２０のネジ内周面２０Cと、を有する。ネジ内周面２０Cには、ネジ山２１が形成されている。
【００４１】
ソケット２の上下方向の寸法２Hと、ピン収容空間４の上下方向の寸法４H、ネジ孔２０の上下方向の寸法２０Hの間には、２H＝４H＝２０Hの関係が成立している。
【００４２】
図９〜図１１には、本実施形態のソケット端子１の使用例を示している。図９〜図１１に示す使用例では、ソケット２のネジ孔２０のネジ内周面２０Cに形成されたネジ山２１を利用して、丸型圧着端子２２をネジ２３（第２接続対象物）でソケット２に取り付けている。なお、丸型圧着端子２２は、ケーブルの導体に圧着されるものである。
【００４３】
以上に、第３実施形態を説明したが、上記第３実施形態は以下の特長を有する。
【００４４】
（７）ネジ孔２０のネジ内周面２０Cには、ネジ山２１が形成されている。以上の構成によれば、ネジ２３をソケット２に対して取り付けることができる。即ち、丸型圧着端子２２をソケット２に対してネジ止めすることができるようになる。
【００４５】
なお、上記第３実施形態において、ネジ孔２０は、ソケット２を上下方向に貫通する貫通孔であるとした。しかし、これに代えて、ネジ孔２０のネジ上開口２０Aが狭められ、又は、閉塞されていてもよい。
【符号の説明】
【００４６】
１  ソケット端子（接続構造）
２  ソケット（接続構造本体）
２A  上面
２B  下面（端面）
２C  大側面（外面）
２D  小側面
２H  寸法
３  バンドコンタクト（弾性片）
４  ピン収容空間（第１収容空間）
４A  ピン上開口
４B  ピン下開口
４C  ピン内周面（内周面）
４H  寸法
５  ケーブル収容空間（第２収容空間）
５A  ケーブル開口
５B  ケーブル内周面（内周面）
５H  寸法
６  位置決め孔（第１空間）
６A  位置決め閉塞面
６B  位置決め内周面（内周面）
７  ハンダ窪み（第２空間）
７A  ハンダ内面
７B  ハンダ下開口
７C  ハンダ横開口
８  隔壁
９  コンタクト装着凹部
１０  ルーバー
１１  ピン（第１接続対象物）
１２  ケーブル
１３  導体（第２接続対象物）
１４  突出部
２０  ネジ孔（第２収容空間）
２０A  ネジ上開口
２０B  ネジ下開口
２０C  ネジ内周面
２１  ネジ山
２２  丸型圧着端子
２３  ネジ（第２接続対象物）
G  ハンダ
【図１】
2016122561.tif 000003
【図２】
2016122561.tif 000004
【図３】
2016122561.tif 000005
【図４】
2016122561.tif 000006
【図５】
2016122561.tif 000007
【図６】
2016122561.tif 000008
【図７】
2016122561.tif 000009
【図８】
2016122561.tif 000010
【図９】
2016122561.tif 000011
【図１０】
2016122561.tif 000012
【図１１】
2016122561.tif 000013
【図１２】
2016122561.tif 000014